(57)【要約】【課題】高周波伝送プラグの提供。【解決手段】プラグハウジング(Housing)、ロードバー(Load Bar)、ケーブルオーガナイザー(Cable Organizer)などの構成部品により組成する。該ケーブルオーガナイザーの上の上凹槽と下導槽の間には相互に連通する貫通槽孔を設置し、下方に位置する第三、六号芯線と上方に位置する第四、五号芯線間のクロストーク(Cross Talk)を増加可能で、該クロストークによりエムベディッド式(de-embedded)の効果を達成し伝送品質を向上させることができる。また該ケーブルオーガナイザーは導電性を備えたプラスチック(plastic with electrically conductive)或いはクロストーク防止/電磁及び無線干渉防止 (RFI/EMI Shielding Materials)材質であるため、相対的にさらに干渉を防止可能で、伝送品質をさらに向上させることができる。【選択図】図５
0003127814.tif 000002
【実用新案登録請求の範囲】
【請求項１】
プラグハウジング、ロードバー、ケーブルオーガナイザーを含み、
該プラグハウジングはプラスチック材質で、内部には槽孔を備え、該槽孔は該ロードバーを及び該ケーブルオーガナイザーを収容可能で、該槽孔の後側は後側方向に向かい開放状態の後槽孔を呈し、該後槽孔の上方は該プラグハウジング後側上方の位置決め槽と相互に通じ、別に該プラグハウジングの前側には８本の相互に間隔を開けた槽道を備え、該各槽道は下方に向かい該槽孔の上方と連通し、該各槽道は導電接触片とそれぞれ嵌入し、
該ロードバーは後側方向に向かい開放状を呈した後位置決め槽を備え、該後位置決め槽は該前側に設置する８本の貫通槽道と連通し、これによりケーブルの各芯線は先ず該後位置決め槽により導入され、さらにそれぞれ該前側の８本の貫通槽道に対応し挿入し、しかも該各貫通槽道の上方は開放状態を呈し、
該ケーブルオーガナイザーは間隔を開け形成する軸方向の上凹槽、下導槽、左導槽、右導槽で、該ケーブルオーガナイザーは貫通層孔を備え、該貫通槽道は該上凹槽と下導槽を上、下に連通し、しかも該貫通槽孔は該下導槽前側に設置する陥没部と連通し、該上凹槽はケーブルの第四、第五号芯線を貫通させ、さらに該貫通槽孔により該下導槽に貫通し、続いて該下導槽の陥没部は前に向かい該下導槽の陥没部前端に穿出し、該下導槽の上方両側には第三、第六号芯線を穿設可能で、該左、右導槽はそれぞれケーブルの第一、第二号芯線と第七、第八号芯線を穿設可能で、しかも該ケーブルオーガナイザー内に穿設する第四、第五号芯線は相互に平行な状態を呈し、第一、第二号芯線は相互にツイスト状を呈し、しかも第七、第八号芯線は相互にツイスト状を呈することを特徴とする高周波伝送プラグ。
【請求項２】
請求項１記載の高周波伝送プラグにおいて、前記ブルオーガナイザーは導電性を備えたプラスチック或いはクロストーク防止/電磁及び無線干渉防止材質で、該ケーブルオーガナイザーの下導槽の下方には別に該陥没のさらに下方に位置する左、右両側の接触凹縁を設置し、これにより該下導槽に穿設する第三、第六号芯線はそれぞれ接触位置決めされ、該下導槽の幅じゃ前側が広く後方に向かい徐々に狭くなり、該左、右導槽の後側の高さがより高く、しかも前側は徐々に縮小し導引斜面と比較的薄い部位を形成し、該ケーブルオーガナイザーの前端面には該左、右導槽の前端縁を囲む導引ブロックを備え、該ケーブルオーガナイザーの前端面の左、右両側の導引ブロックは該ケーブルオーガナイザーの後位置決め槽の左、右両側の導入層に対応し挿入されることを特徴とする高周波伝送プラグ。
【請求項３】
請求項１記載の高周波伝送プラグにおいて、前記プラグハウジングの位置決め槽内の片側壁には圧持ブロックを一体成型し、該圧持ブロックは凹弧部を備え、該圧持ブロックは押された後、下方へとケーブルを圧着し、ケーブルを圧着固定し、しかも該凹弧部の下端縁面は面接触の方式でケーブルを圧着するため、ケーブルを安定的に固定し、しかもケーブル内の一緒にツイストする各対の芯線のツイスト距離が変動することを避けることができ、しかもケーブルの正常な伝送機能を相対的に確保することができ、しかも該プラグハウジング後側上方の位置決め槽内の片側壁が連結する圧持ブロックは該後位置決め槽内の他の側壁と間隔距離を形成し、これにより該圧持ブロックの下方へのプレスに利することを特徴とする高周波伝送プラグ。
【請求項４】
請求項１記載の高周波伝送プラグにおいて、前記ケーブルオーガナイザーの後位置決め槽は錐形槽孔を呈し、該その左、右両側は該後位置決め槽と相互に連通する導入槽で、該後位置決め槽は８本の上下に相対する傾斜状引導を区画し、該各対の傾斜状引導はそれぞれ該ケーブルオーガナイザーの前側の８本の貫通槽道と連通し、これにより該８本の上下に相対する傾斜状引導は８本の芯線の８本の貫通槽道への便利な挿入を導引することを特徴とする高周波伝送プラグ。
【考案の詳細な説明】
【技術分野】
【０００１】
本考案は一種の高周波伝送プラグに関する。特に一種のケーブルを区画する各芯線のケーブルオーガナイザーはその上凹槽と下導槽に連通する貫通孔を備え、下方に位置する第三、六号芯線と上方に位置する第四、五号芯線間のクロストークを増加可能で、該クロストークによりエムベディッド式(de-embedded)の効果を達成し伝送品質を向上させることができ、またプラグハウジングの圧持ブロックの凹弧部は安定的にケーブルを固定可能で、ケーブル内の各芯線のツイスト距離変動を避け伝送品質を確保可能である高周波伝送プラグに係る。
【背景技術】
【０００２】
公知の高周波伝送プラグのケーブルの８本の芯線(すなわち４対)は相互間に干渉が発生し易いため、干渉を低下させることができる高周波伝送プラグの提供は業界の共通目標であった。
【０００３】
公知の伝送プラグ６のプラグハウジング６１の圧持ブロック６１２が下方へと押される前の部分断面表示図と別の角度からの断面表示図である図１、２において、図２に示すように、ケーブル７の各対の芯線７４と７５、７３と７６、７１と７２、７７と７８のツイスト距離は変動しない。
【０００４】
さらにプラグハウジング６１の圧持ブロック６１２が下方へと押され、圧持ケーブル７の２個の角度が圧持された様子を示す断面表示図である図３、４において、図３に示すように、該圧持ブロック６１２の下端６１２１は線接触の方式で接近し該ケーブル７を押し、該ケーブル７は圧迫され変形する。これにより該ケーブル７内の一緒にツイストしている各対の芯線７４と７５、７３と７６、７１と７２、７７と７８のツイスト距離は変動し(図４参照)、該ケーブル７の正常伝送機能に影響を及ぼす。
【考案の開示】
【考案が解決しようとする課題】
【０００５】
本考案の主目的は高周波伝送プラグを提供し、そのケーブルオーガナイザーはケーブルの各対芯線の上凹槽、下導槽、左導槽、右導槽を区画し、該上凹槽と該下導槽間は連通し貫通槽孔を設置し、下方の第三、第六号芯線と上方の第四、第五号芯線間に位置するクロストーク(Cross Talk)を増加可能で、該クロストークによりエムベディッド式(de-embedded)の効果を達成し伝送品質を向上させることができる。
【０００６】
本考案の次の目的は高周波伝送プラグを提供し、そのケーブルオーガナイザーは導電性を備えたプラスチック(plastic with electrically conductive)或いはクロストーク防止/電磁及び無線干渉防止 (RFI/EMI Shielding Materials)材質であるため、相対的にさらに干渉を防止可能で、伝送品質をさらに向上させることができる。
【０００７】
本考案のもう一つの目的は高周波伝送プラグを提供し、そのプラグハウジング後側上方の位置決め槽内の片側壁には圧持ブロックを備え、かつ該圧持ブロックは凹弧部を備え、該圧持ブロックは下方へと押され、ケーブルを圧着固定し、しかも該凹弧部は面接触の方式でケーブルを圧着するため、ケーブルは安定的に固定され、しかもケーブル内の一緒にツイストする各対の芯線を圧迫し、相互間のツイスト距離が変動することを避け、こうしてケーブルの正常な伝送機能を確保する高周波伝送プラグを提供する。
【課題を解決するための手段】
【０００８】
請求項１の考案は、プラグハウジング、ロードバー、ケーブルオーガナイザーを含み、該プラグハウジングはプラスチック材質で、内部には槽孔を備え、該槽孔は該ロードバーを及び該ケーブルオーガナイザーを収容可能で、該槽孔の後側は後側方向に向かい開放状態の後槽孔を呈し、該後槽孔の上方は該プラグハウジング後側上方の位置決め槽と相互に通じ、別に該プラグハウジングの前側には８本の相互に間隔を開けた槽道を備え、該各槽道は下方に向かい該槽孔の上方と連通し、該各槽道は導電接触片とそれぞれ嵌入し、
該ロードバーは後側方向に向かい開放状を呈した後位置決め槽を備え、該後位置決め槽は該前側に設置する８本の貫通槽道と連通し、これによりケーブルの各芯線は先ず該後位置決め槽により導入され、さらにそれぞれ該前側の８本の貫通槽道に対応し挿入し、しかも該各貫通槽道の上方は開放状態を呈し、
該ケーブルオーガナイザーは間隔を開け形成する軸方向の上凹槽、下導槽、左導槽、右導槽で、該ケーブルオーガナイザーは貫通層孔を備え、該貫通槽道は該上凹槽と下導槽を上、下に連通し、しかも該貫通槽孔は該下導槽前側に設置する陥没部と連通し、該上凹槽はケーブルの第四、第五号芯線を貫通させ、さらに該貫通槽孔により該下導槽に貫通し、続いて該下導槽の陥没部は前に向かい該下導槽の陥没部前端に穿出し、該下導槽の上方両側には第三、第六号芯線を穿設可能で、該左、右導槽はそれぞれケーブルの第一、第二号芯線と第七、第八号芯線を穿設可能で、しかも該ケーブルオーガナイザー内に穿設する第四、第五号芯線は相互に平行な状態を呈し、第一、第二号芯線は相互にツイスト状を呈し、しかも第七、第八号芯線は相互にツイスト状を呈することを特徴とする高周波伝送プラグとしている。
請求項２の考案は、請求項１記載の高周波伝送プラグにおいて、前記ブルオーガナイザーは導電性を備えたプラスチック或いはクロストーク防止/電磁及び無線干渉防止材質で、該ケーブルオーガナイザーの下導槽の下方には別に該陥没のさらに下方に位置する左、右両側の接触凹縁を設置し、これにより該下導槽に穿設する第三、第六号芯線はそれぞれ接触位置決めされ、該下導槽の幅じゃ前側が広く後方に向かい徐々に狭くなり、該左、右導槽の後側の高さがより高く、しかも前側は徐々に縮小し導引斜面と比較的薄い部位を形成し、該ケーブルオーガナイザーの前端面には該左、右導槽の前端縁を囲む導引ブロックを備え、該ケーブルオーガナイザーの前端面の左、右両側の導引ブロックは該ケーブルオーガナイザーの後位置決め槽の左、右両側の導入層に対応し挿入されることを特徴とする高周波伝送プラグとしている。
請求項３の考案は、請求項１記載の高周波伝送プラグにおいて、前記プラグハウジングの位置決め槽内の片側壁には圧持ブロックを一体成型し、該圧持ブロックは凹弧部を備え、該圧持ブロックは押された後、下方へとケーブルを圧着し、ケーブルを圧着固定し、しかも該凹弧部の下端縁面は面接触の方式でケーブルを圧着するため、ケーブルを安定的に固定し、しかもケーブル内の一緒にツイストする各対の芯線のツイスト距離が変動することを避けることができ、しかもケーブルの正常な伝送機能を相対的に確保することができ、しかも該プラグハウジングの後側上方の位置決め槽内の片側壁が連結する圧持ブロックは該後位置決め槽内の他の側壁と間隔距離を形成し、これにより該圧持ブロックの下方へのプレスに利することを特徴とする高周波伝送プラグとしている。
請求項４の考案は、請求項１記載の高周波伝送プラグにおいて、前記ケーブルオーガナイザーの後位置決め槽は錐形槽孔を呈し、該その左、右両側は該後位置決め槽と相互に連通する導入槽で、該後位置決め槽は８本の上下に相対する傾斜状引導を区画し、該各対の傾斜状引導はそれぞれ該ケーブルオーガナイザーの前側の８本の貫通槽道と連通し、これにより該８本の上下に相対する傾斜状引導は８本の芯線の８本の貫通槽道への便利な挿入を導引することを特徴とする高周波伝送プラグとしている。
【考案の効果】
【０００９】
本考案はケーブルを区画する各芯線のケーブルオーガナイザーはその上凹槽と下導槽に連通する貫通孔を備え、下方に位置する第三、六号芯線と上方に位置する第四、五号芯線間のクロストークを増加可能で、該クロストークによりエムベディッド式(de-embedded)の効果を達成し伝送品質を向上させることができ、またプラグハウジングの圧持ブロックの凹弧部は安定的にケーブルを固定可能で、ケーブル内の各芯線のツイスト距離変動を避け伝送品質を確保可能である。
【考案を実施するための最良の形態】
【００１０】
先ず図５〜１２に示すように、本考案高周波伝送プラグはプラグハウジング(Housing)１、ロードバー(Load Bar)２、ケーブルオーガナイザー(Cable Organizer)３を含む。
【００１１】
該プラグハウジング１はプラスチック材質で、内部には槽孔１１を備える(図１９参照)。該槽孔１１は該ロードバー(Load Bar)２と該ケーブルオーガナイザー(Cable Organizer)３を収容可能で、該槽孔１１の後側は後側方向に向かって開放状態を呈する後槽孔１１３である。該後槽孔１１３の上方は該プラグハウジング１後側上方の位置決め槽１２と相互に通じ、該位置決め槽１２内の片側壁には圧持ブロック１２１を一体に形成する(図２０参照)。該圧持ブロック１２１は手工具或いは自動機械により押された後、下方へとケーブル(Cable)４を押し、これにより該ケーブル４は圧迫固定される(図２１、２２参照)。しかも該凹弧部１２１１の下端縁面１２１０は面接触の方式で該ケーブル４を押す。
このため、該ケーブル４を安定的に固定することができ、しかも該ケーブル４内の一緒にツイストする各対の芯線４１と４２、４３と４６、４４と４５、４７と４８(或いは各対のツイステッドペアTwisted Pairsと呼称も可)のツイスト距離は変動し、しかも該ケーブル４の正常伝送機能を相対的に確保することができる。また別に該プラグハウジング１の前側には８本の相互に間隔を開けた槽道１０を備え、該各槽道１０は下方に向かい、該槽孔１１の上方と連通する。該各槽道１０はそれぞれ導電接触片５を嵌入する。
【００１２】
次に該ロードバー(Load Bar)２の後側はやや錘状を呈し、しかも後側方向に向かい開放状態を呈した後位置決め槽２１を備える(図５、６参照)。該後位置決め槽２１は前側に設置する８本の貫通槽道２０と連通し、該芯線４１と４２、４３と４６、４４と４５、４７と４８は、先ず該後位置決め槽２１により導入され、さらにそれぞれ該８本の貫通槽道２０に対応し挿入される。しかも該各貫通槽道２０の上方は開放状態を呈する。
【００１３】
次に図５、６、７に合わせて示すように、該ケーブルオーガナイザー３は軸方向の上凹槽３１、下導槽３２、左導槽３３、右導槽３４を間隔を開けて形成する(図７参照)。しかも該下導槽３２の幅は前側がより広く、後に向かい徐々に狭くなり、該左、右導槽３３、３４の後側の高さはより高く、しかも該前側は徐々に縮小し導引斜面３３１、３４１及び比較的薄い部位３３２、３４２を形成する。該ケーブルオーガナイザー３の前端面の左、右両側の導引ブロック３３３、３４３は該ロードバー２の後位置決め槽２１(図６参照)の左、右両側の導入槽２１１、２１２に対応し挿入する。
該ケーブルオーガナイザー３は貫通槽孔３０を備え、該貫通槽孔３０は該上凹槽３１と該下導槽３２に上下連通し、しかも該貫通槽孔３０は該下導槽３２前側に設置する陥没部３２１と連通する(図７参照)。該上凹槽３１(図１３参照)は該ケーブル４の第四、五号芯線４４、４５を穿入させ、さらに該貫通槽孔３０を経由し該下導槽３２に穿入させ、最後にスムーズに該下導槽３２の陥没部３２１は前に向かい、該下導槽３２の陥没部３２１の前端(図１５参照)を穿出する。該下導槽３２(図１４参照)の上方両側には該ケーブル４の第三、四芯線４３、４６を穿設することができ(図１６、１７参照)、該左、右導槽３３、３４はそれぞれ該ケーブル４の第一、二号芯線４１、４２と該第七、八号芯線４７、４８を穿設することができる(図１３〜１７参照)。
【００１４】
続いて図５、１９、２０に示すように該プラグハウジング１後側上方の位置決め槽１２内の片側壁が連結する圧持ブロック１２１は該位置決め槽１２内の他の側壁１２２、１２３、１２４と間隔距離を形成し、これにより該圧持ブロック１２１は下へと押され易くなる。
【００１５】
さらに図６に示すように、該ロードバー２の後位置決め槽２１は錘形槽孔を呈し、しかも左、右両側は該後位置決め槽２１と相互に連通する導入層２１１、２１２である。該後位置決め槽２１は８本の上下に相対する傾斜状引道２１０を区画、形成し、該各対の傾斜状引道２１０はそれぞれ該ロードバー２の前側の８本の貫通槽道２０と連通する。該８本の上下対称な傾斜状引道２１０は便利に該ケーブル４の８本の芯線４１、４２、４３、４６、４４、４５、４７、４８を導引し、それぞれ該８本の貫通槽道２０に挿入させる。
【００１６】
組立てる時には、該ケーブル４のケーブル外皮４０をある程度の長さ剥離し(図８参照)、該各芯線を分け(図９参照)、続いて該ケーブル４の隔絶板４０１の前側を切断する(図１０参照)。
【００１７】
別に図１１〜１３に示すように、該ケーブル４の第一、二号芯線４１と４２及び第七、八号芯線４３と４６はそれぞれ該ケーブルオーガナイザー３の左、右導槽３３、３４を貫通し、それぞれ該左、右導槽３３、３４の前端に貫通する。また該ケーブル４(図１３を合わせて参照)の第四、五号芯線４４と４５、は先ず該上凹槽３１より穿入し、さらに該貫通槽孔３０により該下導槽３２に穿入し、該下導槽３２の陥没部３２１はその流れで前方に向かい、該下導槽３２１の陥没部３２１の前端に穿出する(図１５参照)。該第三、六号芯線４３と４６は、先ず該ケーブルオーガナイザー３の下導槽３２の下方両側を貫通し、該下導槽３２の前端においてそれぞれ伸び出る。次に第一から第八号芯線４１、４２、４３、４６、４４、４５、４７、４８の前端はさらにそれぞれ該ロードバー２の後位置決め槽２１により導入される(図１４、１５参照)。さらに該８本の貫通槽道２０に対応しそれぞれ挿入し、しかも該ケーブルオーガナイザー３の前端左、右両側の導引ブロック３３３、３４３により該ロードバー２の後位置決め槽２１(図６参照)の両側の導入槽２１１、２１２に挿入し、該ケーブル４、該ケーブルオーガナイザー３、該ロードバー２の組立てを完成する。これに従い、該ケーブル４と該ケーブルオーガナイザー３は該ロードバー２を連動し、該プラグハウジング１の槽孔１１内に挿入し(図１９参照)、しかも該ロードバー２と該ケーブルオーガナイザー３は該槽孔１１に対応し内部に位置する。さらに８枚の導電接触片５(図１９参照)はそれぞれ該プラグハウジング１の前側各槽道１０の上方より挿入し、これにより該各導電接触片５の下方はそれぞれ該各芯線４１、４２、４３、４６、４４、４５、４７、４８の内部に進入する。こうして該プラグハウジング１の後側上方の位置決め槽１２内の圧持ブロック１２１(図２０参照)は下方へと押され、該凹弧部１２１１の下端縁面１２１０は該プラグハウジング１と該ケーブル４の後側を圧着固定し(図２１、２２参照)、こうして安定的な組立てを完成する。しかも該ケーブル４の第一、第二号芯線４１、４２及び第七、第八号芯線４７、４８は該左、右導槽３３、３４において区画され、隔離を形成する。しかも、該上凹槽３１と該下導槽３２の間を連通する貫通槽孔３０は該下方に位置する第三、第六号芯線４３、４６と該上方に位置する第四、第五号線芯４４、４５間のクロストーク(Cross Talk)を増加し、該クロストークを用い、エムベディッド式(de-embedded)の効果を達成し、伝送品質を向上させることができる。
【００１８】
さらに該ケーブルオーガナイザー３は導電性を備えたプラスチック(plastic with electrically conductive)或いはクロストーク防止/電磁及び無線干渉防止 (RFI/EMI Shielding Materials)材質で、金属粉プラスチック(Metal Powder Plastic)などの材質である。
【００１９】
また該ケーブルオーガナイザー３の下導槽３２の下方には別に該陥没部３２１のさらに下方に左、右両側に位置する接触凹縁３２３を設置し(図７参照)、これにより該下導槽３２の第三、第六号芯線４３、４６は分離し位置決めされる。
【００２０】
該ケーブル４の第一から第八号芯線４１、４２、４３、４６、４４、４５、４７、４８と該ケーブルオーガナイザー３を穿設、組立てる時には以下の２点に注意する必要がある。
（１）第四、五号芯線４４、４５はツイストさせず、該貫通槽孔３０の上方の該貫通槽孔３０を貫通しその下方の第三、六号芯線３３、４６が見える位置において平行を保持し、クロストークを増加させる。
（２）該ケーブルオーガナイザー３内にそれぞれ穿設する、その両側辺に位置する第一、二号芯線４１、４２と第七、八号芯線４７、４８号はそれぞれわずかにツイスト状を呈する必要がある。
【００２１】
該ケーブル４の第一から第八号芯線４１、４２、４３、４６、４４、４５、４７、４８と該ケーブルオーガナイザー３を穿設、組立てる時には、第四、第五号芯線４４、４５はツイスト状とせず(図２３参照)、最大でも２分の１ターンのツイストとする。図２４は第四、第五号芯線４４、４５が２分の１ターン最初の位置から最終位置までツイストした前面平面表示図である。
また第三、第六号芯線４３、４６は少なくとも２分の１ターン、最大で１ターンのツイストを行う。図２５が示す第三、第六号芯線４３、４６は２分の１ターンの最初の位置から最終位置までツイストしており、図はその前面平面表示図である。図２６は第三、第六号芯線４３、４６がツイストする１ターンの最初の位置から最終位置まで前面平面表示図である。
また第一、第二号芯線４１、４２は少なくとも４分の３ターン、最大で４分の１１ターンのツイストを行い、図はその最初の位置から最終位置までの前面平面表示図である。図２８は第一、第二号芯線４１、４２が４分の１１ターンのツイストを行う最初の位置から最終位置までの前面平面表示図である。
また第七、第八号芯線４７、４８は少なくとも４分の３ターン、最大で２分の１１ターンのツイストを行い、図２９は第七、第八号芯線４７、４８が４分の３ターンのツイストを行うその最初の位置から最終位置までの前面平面表示図である。図３０は第七、第八号芯線４７、４８が２分の１１ターンのツイストを行うその最初の位置から最終位置までの前面平面表示図である。
【００２２】
上記を総合すると、本考案には以下のような効果がある。
（１）ケーブル４の第一、第二号芯線４１、４２と第七、第八号芯線４７、４８は該左、右導槽３３、３４において区画され、隔離を形成する。しかも該上凹槽３１と該下導槽３２間が連通する貫通槽孔３０は該下方の第三、第六号芯線４３、４６と上方に位置する第四、第五号芯線４４、４５間に位置するクロストーク(Cross Talk)を増加可能で、該クロストークによりエムベディッド式(de-embedded)の効果を達成し伝送品質を向上させることができる。
（２）ケーブルオーガナイザー３は導電性を備えたプラスチック(plastic with electrically conductive)或いはクロストーク防止/電磁及び無線干渉防止 (RFI/EMI Shielding Materials)材質であるため、相対的にさらに干渉を防止可能で、伝送品質をさらに向上させることができる。
（３）プラグハウジング１後側上方の位置決め槽１２内の片側壁には圧持ブロック１２１を備え、しかも該圧持ブロック１２１は凹弧部１２１１を備え、該圧持ブロック１２１は下方へと押され、該ケーブル４を圧着固定する。しかも該凹弧部１２１１は面接触の方式で該ケーブル４を圧着するため、該ケーブル４を安定的に固定可能で、しかも該ケーブル４内の一緒にツイストする各対の芯線４１と４２、４３と４６、４４と４５、４７と４８(各対のツイスッテッドペアTwisted Pairsと呼称可能)は相互間のツイスト距離の変動を達成することができ、相対的にケーブルの正常な伝送機能を確保することができる。
（４）ケーブルの各芯線４１、４２、４３、４６、４４、４５、４７、４８はケーブルオーガナイザー３に穿設し、さらにそれぞれロードバー２に挿入後、該ケーブルオーガナイザー３前端両側の導引ブロック３３３、３４３を利用し該ロードバー２の後位置決め槽２１両側の導入槽２１１、２１２に対応し挿入する。こうして便利に相互を挿入位置決めすることができ、続いて、ケーブル４を一緒にプラグハウジング１の槽孔１１内に挿入設置する。こうして組立て作業は正確で便利となり、しかもプラグハウジング１の槽孔１１はちょうど該ロードバー２とケーブルオーガナイザー３に収納される。該プラグハウジング１が該圧持ブロック１２１の凹弧部１２１１により、ケーブル４を押し圧着固定すれば安定的な組立てを完成し、不良品率を低下させることができる。
（５）ロードバー２の後位置決め槽２１は８本の上下に相対する傾斜状引道２１０を区画し形成し、該各対の傾斜状引道２１０はそれぞれ該ロードバー２前側の８本の槽道２０と連通するため、該８本の上下に相対する傾斜状引道２１０は該ケーブル４の８本の芯線４１、４２、４３、４６、４４、４５、４７、４８を導引し、該８本の槽道２０にそれぞれ便利に挿入させる。
【００２３】
次に本考案の実体サンプル試験で得られたdB値の曲線図である図３１、本考案の実体サンプル試験で得られたdB値の統計表に示すように、この種のテストは名称を第六類モジュラープラグコードテスト(category6 modular plug cord test)という。そのテスト規範は米国通信工業協会標準及び科学技術部門(Telecommunication Industry Association Standards and Technology Department)が発行するTIA/EIA568-B.2-1テスト規範に基づく。本テストが使用するテスト機器はFLUKE networks社製(他社のテスト機器を使用することもできる)で、このテスト機器の型番号はPSP-4300  Cable Analyzerで、本テストは１４本のケーブルの両端にそれぞれ本考案の高周波伝送プラグを設置し、設置が完了したケーブルの一端(NEAR END)(A)と反対端(FAR END)(B)をそれぞれ該テスト機器に挿入意テストを行った。図３１中の１〜１４は設置が完了した１４本のケーブルをそれぞれ示し、各ケーブルが測定されたdB値は小さくすべてプラス値である。各１本のケーブルの品質は安定しており、すなわち製品の良品率は高い。図３２中で実線で構成する曲線は第一〜第十四本の設置が完了したケーブルの一端(NEAR END)(A)のテストdB値統計図表である。点線により構成する曲線は第一〜第十四本の設置が完了したケーブルの反対端(FAR END)(B)のテストdB値曲線図である。図３１に示すように、第一〜第十四本のケーブルが測定されたdB値の差異は大きくなく、図３２に示すように、第一〜第十四本のケーブルが測定されたdB値の平均値は2.4ですべてプラス値である。よって品質は安定し、最適なパフォーマンス(performance)を備え、しかも製品の歩留まりは高い。
【図面の簡単な説明】
【００２４】
【図１】公知の伝送プラグのプラグハウジングの圧持ブロックが下方へと押される前のケーブルとの組み合わせ断面表示図である。
【図２】公知の伝送プラグのプラグハウジングの圧持ブロックが下方へと押される前のケーブルとの別の角度からの組み合わせ断面表示図である。
【図３】公知の伝送プラグのプラグハウジングの圧持ブロックが下方へと押される圧持ケーブルの組み合わせ断面表示図であるである。
【図４】公知の伝送プラグのプラグハウジングの圧持ブロックが下方へと押される圧持ケーブルの別の角度からの組み合わせ断面表示図である。
【図５】本考案実施例の立体分解図である。
【図６】本考案実施例のケーブルオーガナイザーの別角度からの立体分解図である。
【図７】本考案実施例のケーブルオーガナイザーの別角度からの立体分解図である。
【図８】本考案実施例のケーブルの立体図である。
【図９】本考案実施例のケーブルの各対芯線が離れた状態の立体図である。
【図１０】本考案実施例のケーブルの各対芯線が離れ、しかも隔絶板が切断された後の立体図である。
【図１１】本考案実施例のケーブルの各対芯線が離れ、しかも第一、第二号芯線と第七、第八号芯線がそれぞれ離れ平行状を呈する立体図である。
【図１２】本考案実施例のケーブルとケーブルオーガナイザーの立体分解図である。
【図１３】本考案実施例ケーブルの反対端とケーブルオーガナイザーの部分が穿設する状態の立体図である。
【図１４】本考案実施例ケーブルの一端とケーブルオーガナイザーが穿設位置決めするが、ケーブルオーガナイザーと完全には穿設位置決めしていない状態の立体図である。
【図１５】本考案実施例ケーブルの一端とケーブルオーガナイザーが穿設位置決めするが、ケーブルオーガナイザーと穿設していない状態の立体図である。
【図１６】本考案実施例ケーブルの一端とケーブルオーガナイザー、ロードバーが穿設位置決めした後の立体図である。
【図１７】本考案実施例ケーブルの反対端とケーブルオーガナイザー、ロードバーが穿設位置決めした後の立体図である。
【図１８】本考案実施例の後位置決め槽の圧持ブロックが下方へとまだ押されていない状態の立体図である。
【図１９】本考案実施例の後位置決め槽の圧持ブロックが下方へとまだ押されていない状態の断面図である。
【図２０】本考案実施例の後位置決め槽の圧持ブロックが下方へとまだ押されていない状態の別の角度からの断面図である。
【図２１】本考案実施例の後位置決め槽の圧持ブロックが既に下方へと押された状態の断面図である。
【図２２】本考案実施例の後位置決め槽の圧持ブロックが既に下方へと押された状態の別の角度からの断面図である。
【図２３】本考案実施例のケーブルの第四、第五号芯線の前面表示図である。
【図２４】本考案実施例のケーブルの第四、第五号芯線が２分の１ターンのツイストを行う最初の位置から最終位置までの前面平面表示図である。
【図２５】本考案実施例のケーブルの第三、第六号芯線が２分の１ターンのツイストを行う最初の位置から最終位置までの前面平面表示図である。
【図２６】本考案実施例のケーブルの第三、第六号芯線が１ターンのツイストを行う最初の位置から最終位置までの前面平面表示図である。
【図２７】本考案実施例のケーブルの第一、第二号芯線が４分の３ターンのツイストを行う最初の位置から最終位置までの前面平面表示図である。
【図２８】本考案実施例のケーブルの第一、第二号芯線が４分の１１ターンのツイストを行う最初の位置から最終位置までの前面平面表示図である。
【図２９】本考案実施例のケーブルの第一、第二号芯線が４分の１１ターンのツイストを行う最初の位置から最終位置までの前面平面表示図である。
【図３０】本考案実施例のケーブルの第七、第八号芯線が２分の１１ターンのツイストを行う最初の位置から最終位置までの前面平面表示図である。
【図３１】本考案の実体サンプル試験で得られたｄＢ値曲線図表である。
【図３２】本考案の実体サンプル試験で得られたｄＢ値統計図表である。
【符号の説明】
【００２５】
６  伝送プラグ
６１  プラグハウジング
６１２  圧持ブロック
６１２１  下端
７  ケーブル
７４、７５、７３、７６、７１、７２、７７、７８  芯線
１  プラグハウジング
１０  槽道
１１  槽孔
１２  位置決め槽
１２２  側壁
１２３  側壁
１２４  側壁
１２１０  下端縁面
１２１  圧持ブロック
１２１１  凹弧部
１１３  後槽孔
２  ロードバー
２０  貫通槽道
２１  後位置決め槽
２１０  傾斜状引道
２１１  導入槽
２１２  導入槽
３  ケーブルオーガナイザー
３１  上凹槽
３２  下導槽
３２１  陥没部
３２３  接触凹縁
３３  左導槽
３３１  導引斜面
３３２  比較的薄い部位
３３３  導引ブロック
３４３  導引ブロック
３４  右導槽
３４１  導引斜面
３４２  比較的薄い部位
４  ケーブル
４０  ケーブル外皮
４１、４２、４３、４６、４４、４５、４７、４８  芯線
４０１  隔絶板
５  導電接触片
【図１】
0003127814.tif 000003
【図２】
0003127814.tif 000004
【図３】
0003127814.tif 000005
【図４】
0003127814.tif 000006
【図５】
0003127814.tif 000007
【図６】
0003127814.tif 000008
【図７】
0003127814.tif 000009
【図８】
0003127814.tif 000010
【図９】
0003127814.tif 000011
【図１０】
0003127814.tif 000012
【図１１】
0003127814.tif 000013
【図１２】
0003127814.tif 000014
【図１３】
0003127814.tif 000015
【図１４】
0003127814.tif 000016
【図１５】
0003127814.tif 000017
【図１６】
0003127814.tif 000018
【図１７】
0003127814.tif 000019
【図１８】
0003127814.tif 000020
【図１９】
0003127814.tif 000021
【図２０】
0003127814.tif 000022
【図２１】
0003127814.tif 000023
【図２２】
0003127814.tif 000024
【図２３】
0003127814.tif 000025
【図２４】
0003127814.tif 000026
【図２５】
0003127814.tif 000027
【図２６】
0003127814.tif 000028
【図２７】
0003127814.tif 000029
【図２８】
0003127814.tif 000030
【図２９】
0003127814.tif 000031
【図３０】
0003127814.tif 000032
【図３１】
0003127814.tif 000033
【図３２】
0003127814.tif 000034